(57)【要約】【課題】システムキッチンのシンク、カウンタ台、及びコンロの部分を外部から見えないように遮蔽可能とすると共に、当該遮蔽手段３を用いてキッチンカウンタを構成することができるシステムキッチンを提供すること。【解決手段】システムキッチン１は、カウンタ台２０を有するシステムキッチン本体２と、前記カウンタ台２０上部の空間１１の一部または全部を遮蔽する遮蔽手段３である天板部材３１ａと一対の側板部材３１ｂ、３１ｃとを有する。そして、前記遮蔽手段３である天板部材３１ａに対して一対の側板部材３１ｂ、３１ｃを９０度回動させることにより、前記遮蔽手段３がキッチンカウンタ３０を構成することができる。また、当該キッチンカウンタ３０は、システムキッチン本体２から取り外し可能に構成することもできる。【選択図】図５
2007236892.tif 000002
【特許請求の範囲】
【請求項１】
カウンタ台を有するシステムキッチン本体と、
前記カウンタ台上部の空間の一部または全部を遮蔽する遮蔽手段とを有し、
前記遮蔽手段をシステムキッチン本体に対して回動させることにより前記遮蔽手段がキッチンカウンタを構成することを特徴とするシステムキッチン。
【請求項２】
前記遮蔽手段は、前記キッチンカウンタの天板に対応する天板部材と、前記キッチンカウンタの一対の側板に対応する一対の側板部材とから構成されている請求項１記載のシステムキッチン。
【請求項３】
前記遮蔽手段の前記一対の側板部材は、前記天板部材の両側方に回動可能に連結されている請求項２記載のシステムキッチン。
【請求項４】
前記システムキッチン本体に対して前記キッチンカウンタは着脱自在に構成されている請求項１記載のシステムキッチン。
【請求項５】
前記システムキッチン本体と前記遮蔽手段とは、前記遮蔽手段を前記システムキッチン本体に対して垂直方向に回動可能とし、且つ、前記遮蔽手段を前記システムキッチン本体に着脱自在に係止するための一組の第１係止手段と、
前記遮蔽手段を前記カウンタ台上部の空間の一部または全部を遮蔽するように前記システムキッチン本体に取り付けた際に、前記遮蔽手段を前記システムキッチン本体に係止するための一組の第２係止手段とを有している請求項１記載のシステムキッチン。
【請求項６】
前記遮蔽部材の前記一対の側板部材はそれぞれ伸縮自在の脚部を有し、前記天板部材に対して側板部材を回動することにより前記脚部が伸長する請求項３記載のシステムキッチン。
【請求項７】
前記遮蔽手段は、さらに一対の側板支持部材を有し、前記一対の側板支持部材のそれぞれの一端が前記天板部材の両側方に回動可能に連結されていると共に、前記一対の側板部材をそれぞれ回動可能に支持し、前記一対の側板部材の表裏面の位置を入れ替え可能とする請求項３記載のシステムキッチン。
【請求項８】
前記側板支持部材と前記側板部材とは回動規制手段を有し、前記回動規制手段により前記側板部材の前記側板支持部材に対する回動が規制されている請求項７記載のシステムキッチン。
【発明の詳細な説明】
【技術分野】
【０００１】  本発明はシステムキッチンに関する。
【背景技術】
【０００２】  システムキッチンは居間スペースと台所スペースを兼用する部屋（いわゆるＬＤＫ）に設置される場合が多い。このような場合、システムキッチン全体が居間スペースに対面するように設置されている。
【発明の開示】
【発明が解決しようとする課題】
【０００３】  システムキッチン全体が居間スペースに対面するように設置されていると、システムキッチンのシンク、カウンタ台、及びコンロ等に置かれた什器等が居間スペースから見えてしまい、居間スペースから見たシステムキッチンの景観が煩雑なものになるという問題点がある。この問題点を解決するために、システムキッチンと居間スペースとの間にキッチンカウンタ等を設置し、このキッチンカウンタによりシステムキッチンを居間スペースから視覚的に分離するという方法がある。しかし、ＬＤＫの面積が狭い場合には、キッチンカウンタの設置スペースを確保することが困難になるという問題点を生じる。【０００４】  本発明は、上記問題点に鑑み、システムキッチンのシンク、カウンタ台、及びコンロの部分を外部から見えないように遮蔽可能とすると共に、当該遮蔽手段を用いてキッチンカウンタを構成することができるシステムキッチンを提供することを目的とする。
【課題を解決するための手段】
【０００５】  本発明に係るシステムキッチンは、カウンタ台を有するシステムキッチン本体と、前記カウンタ台上部の空間の一部または全部を遮蔽する遮蔽手段とを有し、前記遮蔽手段をシステムキッチン本体に対して回動させることにより前記遮蔽手段がキッチンカウンタを構成することを特徴とする。【０００６】  さらに、本発明に係るシステムキッチンは、前記遮蔽手段が、前記キッチンカウンタの天板に対応する天板部材と、前記キッチンカウンタの一対の側板に対応する一対の側板部材とから構成されていることが好ましい。【０００７】  さらに、本発明に係るシステムキッチンは、前記遮蔽手段の前記一対の側板部材が、前記天板部材の両側方にそれぞれ回動可能に連結されていることが好ましい。【０００８】  さらに、本発明に係るシステムキッチンは、前記システムキッチン本体に対して前記キッチンカウンタが着脱自在に構成されていることが好ましい。【０００９】  さらに、本発明に係るシステムキッチンは、前記システムキッチン本体と前記遮蔽手段とは、前記遮蔽手段を前記システムキッチン本体に対して垂直方向に回動可能とし、且つ、前記遮蔽手段を前記システムキッチン本体に着脱自在に係止するための一組の第１係止手段と、前記遮蔽手段を前記カウンタ台上部の空間の一部または全部を遮蔽するように前記システムキッチン本体に取り付けた際に、前記遮蔽手段を前記システムキッチン本体に係止するための一組の第２係止手段を有していることが好ましい。【００１０】  さらに、本発明に係るシステムキッチンは、前記遮蔽部材の前記一対の側板部材がそれぞれ伸縮自在の脚部を有し、前記天板部材に対して側板部材を回動することにより前記脚部が伸長することが好ましい。【００１１】  さらに、本発明に係るシステムキッチンは、前記遮蔽手段が、さらに一対の側板支持部材を有し、前記一対の側板支持部材のそれぞれの一端が前記天板部材の両側方に回動可能に連結されていると共に、前記一対の側板部材をそれぞれ回動可能に支持し、前記一対の側板部材の表裏面の位置を入れ替え可能とすることが好ましい。【００１２】  さらに、本発明に係るシステムキッチンは、前記側板支持部材と前記側板部材とは回動規制手段を有し、前記回動規制手段により前記側板部材の前記側板支持部材に対する回動が規制されていることが好ましい。
【発明の効果】
【００１３】  請求項１記載の本発明によれば、システムキッチンは、カウンタ台を有するシステムキッチン本体と、カウンタ台上部の空間の一部または全部を遮蔽する遮蔽手段とを有し、遮蔽手段をシステムキッチン本体に対して回動させることにより遮蔽手段がキッチンカウンタを構成する。従って、遮蔽手段によりカウンタ台の上に置かれている什器や調理器具等を遮蔽することができ、居間スペースから見たシステムキッチンの景観が煩雑なものになることを防止することができる。さらに、この遮蔽手段はキッチンカウンタを構成することができるため、遮蔽手段を必要としない場合でもこれをキッチンカウンタとして有効利用することができ、遮蔽手段を収容するためのスペースを確保する必要がない。【００１４】  請求項２記載の本発明によれば、キッチンカウンタを構成するために必要な天板部材と一対の側板部材という最小限度の部材から遮蔽手段が構成されるため、遮蔽手段の製造コストを最小限度に抑えることができる。【００１５】  請求項３記載の本発明によれば、遮蔽手段の一対の側板部材が、天板部材の両側方にそれぞれ回動可能に連結されている。従って、遮蔽部材の天板部材を中心にして側板部材を回動することにより、容易にキッチンカウンタを組み立てることができ、補助具等を用いる必要がない。【００１６】  請求項４記載の本発明によれば、システムキッチン本体に対してキッチンカウンタが着脱自在に構成されているため、必要に応じてキッチンカウンタをシステムキッチン本体に連結したり分離したりすることができる。また、キッチンカウンタをシステムキッチン本体に連結することにより、キッチンカウンタの移動を制限することが可能である。このため、キッチンカウンタのキャスターにストッパ機構を設ける必要が無い。【００１７】  請求項５記載の本発明によれば、システムキッチン本体と前記遮蔽手段とが、第１係止手段と第２係止手段とを有している。従って、第１係止手段により遮蔽手段を容易にシステムキッチン本体に対して垂直方向に回動することができると共に、システムキッチン本体に対して着脱自在に係止することができる。また、第２係止手段により容易に遮蔽手段をシステムキッチン本体に係止することができる。【００１８】  請求項６記載の本発明によれば、遮蔽部材の一対の側板部材はそれぞれ伸縮自在の脚部を有し、天板部材に対して側板部材を回動することにより脚部が伸長するように構成されている。遮蔽手段が係止されるシステムキッチン本体の幅方向の寸法が小さい場合や天板部材の幅方向の寸法を大きくする場合、キッチンカウンタを組み立てた際の側板部材の高さ寸法を十分に確保できない。しかし、本発明によれば、このような場合でも脚部が伸長するため、天板部材の床面からの高さを十分に確保することができる。【００１９】  請求項７記載の本発明によれば、遮蔽手段は、さらに側板支持部材を有し、側板支持部材の一端が天板部材の両側方に回動可能に連結されていると共に側板部材を回動可能に支持している。従って、側板部材を側板支持部材に対して回動させることにより、側板部材の表裏面の位置を入れ替えることができる。このため、側板部材の表面側のみに表面加工を行う（例えば突板を貼着する等）���とにより、システムキッチン本体に遮蔽手段として係止した状態でも、キッチンカウンタを構成した状態でも、当該加工面が外部から見える面となる。故に、側板部材の裏面側を表面加工する必要がなく、製造コストの低廉化を図ることができる。【００２０】  請求項８記載の本発明によれば、側板支持部材と側板部材は回動規制手段を有し、この回動規制手段により側板部材の側板支持部材に対する回動が規制されている。このため、側板部材を回動し、その表裏面の位置の入れ替えを容易且つ確実に行うことができる。
【発明を実施するための最良の形態】
【００２１】  以下、図面を参照しつつ本発明の第１実施形態に係るシステムキッチン１について詳細に説明する。図１ないし図６に示す本実施形態のシステムキッチン１は、カウンタ台２０を有するシステムキッチン本体２と、前記カウンタ台２０上部の空間１１の一部または全部を遮蔽する遮蔽手段３である天板部材３１ａと一対の側板部材３１ｂ、３１ｃとを有する。そして、前記遮蔽手段３である天板部材３１ａに対して一対の側板部材３１ｂ、３１ｃを９０度回動させ、前記遮蔽手段３がキッチンカウンタ３０を構成することができる。また、当該キッチンカウンタ３０は、システムキッチン本体２から取り外し可能に構成されている。【００２２】  システムキッチン本体２は、図１に示すように、一連に設けられているキャビネット２２ａ、２２ｂとコンロユニット２２ｃを有し、それらキャビネットやコンロユニットの上部に一連に設けられている吊戸棚２１ａ、２１ｂ、及び換気ユニット２１ｃを有する。また、キャビネット２２ａ、２２ｂとコンロユニット２２ｃの上部にはカウンタ台２０が設けられており（図２参照）、カウンタ台２０の上部には空間１１が形成されている（図２参照）。このカウンタ台２０の上には什器や調理器具等を置くことができるようになっている。システムキッチン本体２は、その両側方に一対の側板２３ａ、２３ｂを有している。なお、図２に示す符号２５はシンクである。【００２３】  遮蔽手段３である天板部材３１ａと一対の側板部材３１ｂ、３１ｃは、何れも矩形の板状部材であり、図２においてカウンタ台２０上部の空間１１を遮蔽するようにシステムキッチン本体２に取り付けられている。この天板部材３１ａと一対の側板部材３１ｂ、３１ｃには、不燃加工された化粧板、パンチング加工されたアルミやステンレス等の金属板、あるいは半透明のガラスやアクリル板等を用いることができ、システムキッチン１のデザインに応じてその材質や形状等を適宜選択することができる。【００２４】  天板部材３１ａと側板部材３１ｂ、３１ｃは、天板部材３１ａの両側方にそれぞれ側板部材３１ｂ、３１ｃが蝶番３５を介して連結されている。この蝶番３５により、側板部材３１ｂ、３１ｃは天板部材３１ａに対し図３及び図４に示されている矢印Ａ方向に回動可能となっている。また、天板部材３１ａと側板部材３１ｂ、３１ｃは２段階のロック機構を有するステー部材３２を備えており、このステー部材３２のロック機構により側板部材３１ｂ、３１ｃが天板部材３１ａに対して開き角度１８０度または９０度の２段階の状態で保持可能となっている。このステー部材３２のロック機構は、ステー部材３２の自由端部に形成されている凸部３２ａと、当該凸部３２ａが係合する天板部材３１ａの上下端面に形成されているスリット３２ｃの端部に形成されている凹部３２ｂにより構成されている（図４参照）。【００２５】  側板部材３１ｂの左辺部分と側板部材３１ｃの右辺部分には、ボールキャスター３４ａ、３４ｂがそれぞれ２つづつ取り付けられている。このボールキャスター３４ａ、３４ｂは、キッチンカウンタ３０を移動可能にするために使用される他、後述するようにシステムキッチン本体２の側板２３ａ、２３ｂの係合凹部２４ａ、２４ｂと係合す��ことにより第２係止手段を構成する。【００２６】  図１に示すように、システムキッチン本体２のキャビネット２２ａの上部と天板部材３１ａの下辺部分には、一組の第１係止手段を構成するロッド部材２６と、支持材３６の先端に設けられている半環状部材３６ａがそれぞれ設けられている。このロッド部材２６と半環状部材３６ａにより、遮蔽手段３である天板部材３１ａ及び一対の側板部材３１ｂ、３１ｃをシステムキッチン本体２に対して垂直方向に回動可能とし、且つ、遮蔽手段３である天板部材３１ａ及び一対の側板部材３１ｂ、３１ｃをシステムキッチン本体２に着脱自在に係止することができる。即ち、半環状部材３６ａがロッド部材２６に嵌め込まれた状態では、図５に示すように、天板部材３１ａはロッド部材２６を中心としてシステムキッチン本体２に対して垂直方向に回動することができる。また、半環状部材３６ａをロッド部材２６から取り外すことにより、図６に示すように、天板部材３１ａ及び一対の側板部材３１ｂ、３１ｃから構成されているキッチンカウンタ３０をシステムキッチン本体２から分離することができる。なお、このロッド部材２６はタオル掛けとしての機能も有している。【００２７】  図１に示すように、システムキッチン本体２の吊戸棚２１ａの下部にはロック部材３３が設けられており、天板部材３１ａの上辺部分にはこのロック部材３３と係合する被ロック部材（図示せず）が設けられている。また、システムキッチン本体２の側板２３ａ、２３ｂの前端部分には係合凹部２４ａ、２４ｂが設けられており、それぞれ側板部材３１ｂ、３１ｃのボールキャスター３４ａ、３４ｂと係合可能となっている。これらロック部材３３と被ロック部材、及び係合凹部２４ａ、２４ｂとボールキャスター３４ａ、３４ｂは、遮蔽手段３である天板部材３１ａ及び一対の側板部材３１ｂ、３１ｃをカウンタ台２０の上部の空間１１を遮蔽するようにシステムキッチン本体２に取り付けた際に、この天板部材３１ａ及び一対の側板部材３１ｂ、３１ｃをシステムキッチン本体２に係止するための第２係止手段をそれぞれ構成している。なお、第２係止手段を構成する係合凹部２４ａ、２４ｂとボールキャスター３４ａ、３４ｂは、上述したように天板部材３１ａと側板部材３１ｂ、３１ｃのステー部材３２により、側板部材３１ｂ、３１ｃが天板部材３１ａに対して開き角度１８０度の状態で保持可能となっている場合には、必ずしも必要ではない。この場合には、ロック部材３３と被ロック部材とが一組の第２係止手段を構成する。【００２８】  以下、本実施形態の作用効果を説明する。
図１及び図２は、天板部材３１ａと側板部材３１ｂ、３１ｃとが、カウンタ台２０上部の空間１１の前面側に第２係止手段により係止され当該空間１１を遮蔽した状態を示している。この状態において、天板部材３１ａと側板部材３１ｂ、３１ｃは遮蔽手段３として機能している。そして、カウンタ台２０の上に置かれている什器や調理器具等が遮蔽されることにより、居間スペースから見たシステムキッチン１の景観が煩雑なものになることを防止している。さらに、この遮蔽手段３はキッチンカウンタを構成することができるため、遮蔽手段３を必要としない場合でもこれをキッチンカウンタとして有効利用することができ、遮蔽手段３を収容するためのスペースを確保する必要がない。【００２９】  次に、システムキッチン本体２から遮蔽手段３を取り外し、キッチンカウンタ３０を構成する手順について説明する。最初に、側板部材３１ｂ、３１ｃのボールキャスター３４ａ、３４ｂをシステムキッチン本体２の側板２３ａ、２３ｂの係合凹部２４ａ、２４ｂから取り外し、さらに、ステー部材３２のロック機構を解除し、天板部材３１ａに対して１８０度の開き角度の状態でロックされていた側板部材３１ｂ、３１ｃを天板部材３１ａに対して９０度の開き角度の状態になるまで回動させる（図３及び図４に示す矢印Ａ参照）。そして、ステー部材３２のロック機構をロックすることにより、側板部材３１ｂ、３１ｃが天板部材３１ａに対して９０度の開き角度の状態に保持する。【００３０】  次に、システムキッチン本体２の吊戸棚２１ａの下部に設けられているロック部材３３を操作し、天板部材３１ａの被ロック部材とのロック状態を解除する。そして、天板部材３１ａを支えながら、天板部材３１ａと一対の側板部材３１ｂ、３１ｃを図５に示す矢印Ｂ方向に回動させる。この際、半環状部材３６ａはロッド部材２６を中心にして回動してゆく。そして、この回動操作は、図５に示すように、側板部材３１ｂ、３１ｃのボールキャスター３４ａ、３４ｂが接地することにより終了する。この状態において、天板部材３１ａと一対の側板部材３１ｂ、３１ｃは、キッチンカウンタ３０を構成する。【００３１】  さらに、このキッチンカウンタ３０はシステムキッチン本体２に対して着脱自在に構成されている。即ち、図６に示す矢印Ｃ方向へ移動させることにより、半環状部材３６ａはロッド部材２６から離脱し、システムキッチン本体２から分離することが可能である。また、分離したキッチンカウンタ３０をこの矢印Ｃ方向とは逆方向への移動すれば、半環状部材３６ａがロッド部材２６に再び連結され、キッチンカウンタ３０をシステムキッチン本体２に再度係止することができる。なお、図１に示すように、ロッド部材２６ａをキャビネット２２ｂの上部にも設けておくと、キッチンカウンタ３０の半環状部材３６ａをこのロッド部材２６ａと連結することにより、システムキッチン本体２に対するキッチンカウンタ３０の係止位置の自由度を増大させることができる。【００３２】  本実施形態のシステムキッチン１は、キッチンカウンタ３０を構成するために必要な天板部材３１ａと一対の側板部材３１ｂ、３１ｃという最小限度の部材から遮蔽手段３が構成されるため、遮蔽手段３の製造コストを���小限度に抑えることができる。【００３３】  さらに、本実施形態のシステムキッチン１は、遮蔽手段３の一対の側板部材３１ｂ、３１ｃが、天板部材３１ａの両側方に回動可能に連結されている。従って、遮蔽部材の天板部材３１ａを中心にして側板部材３１ｂ、３１ｃを回動することにより、容易にキッチンカウンタ３０を組み立てることができる。【００３４】  さらに、本実施形態のシステムキッチン１は、システムキッチン本体２に対してキッチンカウンタ３０が着脱自在に構成されているため、必要に応じてキッチンカウンタ３０をシステムキッチン本体２に連結したり分離したりすることができる。また、キッチンカウンタ３０をシステムキッチン本体２に連結することにより、キッチンカウンタ３０の移動を制限することが可能である。このため、キッチンカウンタ３０のキャスターにストッパ機構を設ける必要が無い。【００３５】  さらに、本実施形態のシステムキッチン１は、遮蔽手段３をシステムキッチン本体２に対して垂直方向に回動可能とし、且つ、遮蔽手段３をシステムキッチン本体２に着脱自在に係止するための一組の第１係止手段であるロッド部材２６と半環状部材３６ａと、遮蔽手段３をカウンタ台２０上部の空間の一部または全部を遮蔽するようにシステムキッチン本体２に取り付けた際に、遮蔽手段３をシステムキッチン本体２に係止するための一組の第２係止手段であるロック部材３３と被ロック部材、及び係合凹部２４ａ、２４ｂとボールキャスター３４ａ、３４ｂとを有している。この第１係止手段により遮蔽手段３を容易にシステムキッチン本体２に対して垂直方向に回動することができると共に、システムキッチン本体２に対して着脱自在に係止することができる。また、第２係止手段により容易に遮蔽手段３をシステムキッチン本体２に係止することができる。【００３６】  以下、図７を参照しつつ本発明の第２実施形態について説明する。この第２実施形態では上記第１実施形態におけるボールキャスター３４ａ、３４ｂの代わりに、それぞれ２組の伸縮自在の脚部３７が側板部材３１ｂ、３１ｃに取り付けられている。この伸縮自在の脚部３７は、遮蔽手段３が係止されるシステムキッチン本体２の幅方向の寸法が小さい場合や、天板部材３１ａの幅方向の寸法を大きくする場合において、キッチンカウンタ３０を組み立てた際の側板部材３１ｂ、３１ｃの高さ寸法を十分に確保できない場合に適用することができる。なお、図７は上記第１実施形態における図４に相当する。【００３７】  図７に示すように、伸縮自在の脚部３７は、筒状のシリンダ３７ａと、シリンダ３７ａの側方に設けられているスリット３７ｂと、スリット３７ｂに沿って摺動可能に取り付けられているロッド基部３７ｃと、ロッド基部３７ｃをその一端に有するロッド３７ｄと、ロッド３７ｄの他端に回動可能に設けられている回動支点部３７ｅと、ロッド基部３７ｃと連結されていると共にシリンダ３７ａ内部に摺動可能に収容されているキャスター支持材３７ｆと、キャスター支持材３７ｆの先端に取り付けられたキャスター３７ｇとから成る。なお、スリット３７ｂにはロック用の凹部３７ｈが形成されている。【００３８】  以下、本実施形態の作用効果について説明する。
上記第１実施形態と同様に、遮蔽手段３からキッチンカウンタ３０を構成する場合には、天板部材３１ａに対して１８０度の開き角度の状態でロックされていた側板部材３１ｂ、３１ｃを天板部材３１ａに対して９０度の開き角度の状態になるまで回動させる（図７に示す矢印Ａ参照）。【００３９】  天板部材３１ａに対して側板部材３１ｂ、３１ｃが１８０の開き角度である場合には、ロッド基部３７ｃはスリット３７ｂの天板部材３１ａ側の端部に位置している。このため、このロッド基部３７ｃと連結されているキャスター支持材３７ｆは天板部材３１ａ側に引き込まれた状態となっている。【００４０】  図７に示す矢印Ａ方向に側板部材３１ｂ、３１ｃを回動すると、ロッド基部３７ｃはスリット３７ｂに沿って天板部材３１ａの方向とは逆の方向へ摺動してゆく。このため、このロッド基部３７ｃと連結されているキャスター支持材３７ｆは天板部材３１ａの方向とは逆の方向へ移動してゆき、シリンダ３７ａの内部から押し出されてゆく。【００４１】  そして、天板部材３１ａに対して９０度の開き角度になるまで側板部材３１ｂ、３１ｃを回動させると、ロッド基部３７ｃがスリット３７ｂの凹部３７ｈに係止され、係止されたロッド基部３７ｃに連結されているキャスター支持材３７ｆが伸長した状態で固定される。【００４２】  本実施形態においては、遮蔽部材の一対の側板部材３１ｂ、３１ｃはそれぞれ伸縮自在の脚部３７を有し、天板部材３１ａに対して側板部材３１ｂ、３１ｃを回動することにより脚部３７が伸長するように構成されている。遮蔽手段３が係止されるシステムキッチン本体２の幅方向の寸法が小さい場合や天板部材３１ａの幅方向の寸法を大きくする場合、キッチンカウンタ３０を組み立てた際の側板部材３１ｂ、３１ｃの高さ寸法を十分に確保できない。しかし、本実施形態によれば、このような場合でも脚部３７が伸長するため、天板部材３１ａの床面からの高さを確保することができる。【００４３】  以下、図８乃至図１３を参照しつつ本発明の第３実施形態について説明する。この第３実施形態では上記第１実施形態における側板部材３１ｂ、３１ｃの表裏面の位置が入れ替え可能となっている。このため、遮蔽手段３としてシステムキッチン本体２に係止された状態の側板部材３１ｂ、３１ｃの表面が、キッチンカウンタ３０を構成した状態においてもキッチンカウンタ３０の側部表面に配置される。なお、図８、図１１、図１２、及び図１３は上記第１実施形態における図４に相当する。【００４４】  上記第１実施形態とは異なり、本実施形態の天板部材３１ａの両側方に取り付けられている蝶番３５には側板支持部材であるコの字型形状のフレーム３８が連結され、このフレーム３８が天板部材３１ａに対して回動可能に取り付けられている。このフレーム３８は上下部分の水平フレーム３８ａ、３８ｂと垂直部分の垂直フレーム３８ｃとから構成されている（図９参照）。フレーム３８の中央部には回動軸３８ｄが設けられており、側板３１ｂ、３１ｃがこの回動軸３８ｄを中心にして回動可能になるようにフレーム３８にそれぞれ支持されている（図８参照）。また、水平フレーム３８ａ、３８ｂには、後述する固定用凸部４１ｃと係合する固定用穴３８ｅ、３８ｆが形成されている（図１１参照）。【００４５】  天板部材３１ａの上部及び下部には金属製のプレート３９が装着されている（図９参照）。図８に示すように、このプレート３９には溝３９ａが形成されており、これら溝３９ａはこれら溝３９ａを摺動するロッド基部３９ｂを有している。ロッド基部３９ｂはロッド３９ｃの一端に固定されており、さらにロッド３９ｃの他端は上記回動軸３８ｄの突出部分に回動可能に係止されている。このプレート３９の溝３９ａにロッド基部３９ｂが摺動することにより、ロッド３９ｃによってフレーム３８とフレーム３８に支持されている側板部材３１ｂ、３１ｃの回動範囲が規制される。なお、溝３９ａの両端部には図示しない係合凹部が形成されており、この係合凹部にロッド基部３９ｂが係合することにより、天板３８ａに対して１８０度又は９０度の角度をもってフレーム３８が固定される。【００４６】  図８及び図１０に示すように、側板３１ｂ、３１ｃの裏面側にはキャスター支持部材４０ｂが取り付けられており、このキャスター支持部材４０ｂの先端にはキャスター４０ａが装着されている。また、側板３１ｂ、３１ｃの内部には、側板３１ｂ、３１ｃを上記フレーム３８に固定するための固定部４１が設けられており、この固定部４１と上記固定用穴３８ｅ、３８ｆとは側板部材３１ｂ、３１ｃの回動規制手段を構成している（図１１ないし図１３参照）。この固定部４１は、側板３１ｂ、３１ｃの裏面側に露出した操作ノブ４１ａと、操作ノブ４１ａの回動操作により側板３１ｂ、３１ｃの上下端面方向へ伸縮するロッド４１ｂと、ロッド４１ｂの端部であると共に、フレーム３８に側板３１ｂ、３１ｃを固定するために上記固定用穴３８ｅ、３８ｆ内へ突出する固定用凸部４１ｃとを有する。このロッド４１ｂはコイルスプリング（図示せず）によりノブ４１ａの内部外周に形成されているカム（図示せず）に常時付勢されており、ノブ４１ａを回動操作することにより固定用凸部４１ｃが側板３１ｂ、３１ｃの上下端面から突出させ又は引き込ませることができる。【００４７】  以下、本実施形態の作用効果について説明する。
上記第１実施形態と同様に、遮蔽手段３からキッチンカウンタ３０を構成する場合には、天板部材３１ａに対して１８０度の開き角度の状態でロックされていた側板部材３１ｂ、３１ｃをフレーム３８と共に天板部材３１ａに対して９０度の開き角度の状態になるまで回動させる（図１１に示す矢印Ａ１参照）。この状態において、固定用凸部４１ｃは固定用穴３８ｅ内に突出しており、フレーム３８に側板部材３１ｂ、３１ｃが固定されている。【００４８】  次に、操作ノブ４１ａを回動操作し、固定用凸部４１ｃを惻板部材３１ｂ、３１ｃの上下端面から引き込ませる。そして、回動軸３８ｄを中心にして側板３１ｂ、３１ｃを１８０度回転させる（図１２に示す矢印Ａ２参照）。【００４９】  最後に、操作ノブ４１ａを回動操作し、固定用凸部４１ｃを固定用穴３８ｆ内に突出し、フレーム３８に側板部材３１ｂ、３１ｃを再度固定する（図１３参照）。【００５０】  本実施形態においては、遮蔽手段３は、さらに側板支持部材であるフレーム３８を有し、フレーム３８の一端である垂直フレーム３８ｃが天板部材３１ａの両側方に回動可能に連結されていると共に側板部材３１ｂ、３１ｃを回動可能に支持している。従って、側板部材の３１ｂ、３１ｃをフレーム３８ｃに対して回動させることにより、側板部材３１ｂ、３１ｃの表裏面の位置を入れ替えることができる。図１２に示すように側板部材３１ｂ、３１ｃを回動させることにより、図１１における側板部材３１ｂ、３１ｃが図１３においてその表裏面の位置を入れ替えている。このため、側板部材３１ｂ、３１ｃの表面側のみに表面加工を行う（例えば突板を貼着する等）ことにより、システムキッチン本体２に遮蔽手段３として係止した状態でも、キッチンカウンタ３０を構成した状態でも、当該加工面が外部から見える面となる。故に、側板部材３１ｂ、３１ｃの裏面側を表面加工する必要がなく、製造コストの低廉化を図ることができる。【００５１】  さらに、本実施形態において、側板支持部材であるフレーム３８と側板部材３１ｂ、３１ｃは回動規制手段である固定用穴３８ｅ、３８ｆと固定部４１とを有し、この回動規制手段により側板部材３１ｂ、３１ｃの側板支持部材であるフレーム３８に対する回動が規制されている。このため、側板部材３１ｂ、３１ｃを回動し、その表裏面の位置の入れ替えを容易且つ確実に行うことができる。
【図面の簡単な説明】
【００５２】
【図１】本発明に係る第１実施形態のシステムキッチン１を示す正面図である。
【図２】図１に示すシステムキッチン１の縦断面図である。
【図３】図１に示すシステムキッチン１の縦断面図であり、側板部材３１ｂ、３１ｃを天板部材３１ａに対して９０度回動させた状態を示している。
【図４】図１に示すシステムキッチン１の遮蔽手段３の回動状態を示す説明図であり、側板部材３１ｂ、３１ｃを天板部材３１ａに対して１８０度の位置から９０度の位置へ回動させた状態を示す平面図である。
【図５】図１に示すシステムキッチン１の縦断面図であり、キッチンカウンタ３０をシステムキッチン本体２に対して垂直方向に回動させた状態を示している。
【図６】図１に示すシステムキッチン１の縦断面図であり、キッチンカウンタ３０をシステムキッチン本体２から取り外した状態を示している。
【図７】本発明に係る第２実施形態のシステムキッチンにおける遮蔽手段３の回動状態を示す説明図であり、側板部材３１ｂ、３１ｃを天板部材３１ａに対して１８０度の位置から９０度の位置へ回動させた状態を示す平面図である。
【図８】本発明に係る第３実施形態のシステムキッチンにおける遮蔽手段３を示す説明図であり、側板部材３１ｂ、３１ｃを天板部材３１ａに対して１８０度の位置に固定した状態を示す平面図である。
【図９】図８に示すシステムキッチンにおける遮蔽手段３の表面側を示す正面図である。
【図１０】図８に示すシステムキッチンにおける遮蔽手段３の裏面側を示す背面図である。
【図１１】図８に示すシステムキッチンにおける遮蔽手段３の回動状態を示す説明図であり、側板部材３１ｂ、３１ｃをフレーム３８と共に天板部材３１ａに対して９０度の開き角度の状態になるまで回動させた状態を示す平面図である。
【図１２】図８に示すシステムキッチンにおける遮蔽手段３の回動状態を示す説明図であり、側板部材３１ｂ、３１ｃをフレーム３８の回動軸３８ｄを中心にして１８０度回動させる途中の状態を示す平面図である。
【図１３】図８に示すシステムキッチンにおける遮蔽手段３の回動状態を示す説明図であり、側板部材３１ｂ、３１ｃをフレーム３８の回動軸３８ｄを中心にして１８０度回動させた状態を示す平面図である。
【符号の説明】
【００５３】１  システムキッチン
１１  空間
２  システムキッチン本体
２０  カウンタ台
２１ａ、２１ｂ  吊戸棚
２１ｃ  換気ユニット
２２ａ、２２ｂ  キャビネット
２２ｃ  コンロユニット
２３ａ、２３ｂ  側板
２４ａ、２４ｂ  係合凹部
２５  シンク
２６  ロッド部材
３  遮蔽手段
３０  キッチンカウンタ
３１ａ  天板部材
３１ｂ、３１ｃ  側板部材
３２  ステー部材
３２ａ  凸部
３２ｂ  凹部
３２ｃ  スリット
３３  ロック部材
３４ａ、３４ｂ  ボールキャスター
３５  蝶番
３６  支持材
３６ａ  半環状部材
３７  脚部
３７ａ  シリンダ
３７ｂ  スリット
３７ｃ  ロッド基部
３７ｄ  ロッド
３７ｅ  回動支点部
３７ｆ  キャスター支持材
３７ｇ  キャスター
３７ｈ  凹部
３８  フレーム
３８ａ、３８ｂ  水平フレーム
３８ｃ  垂直フレーム
３８ｄ  回動軸
３８ｅ、３８ｆ  固定用穴
３９  プレート
３９ａ  溝
３９ｂ  ロッド基部
３９ｃ  ロッド
４０ａ  キャスター
４０ｂ  キャスター支持部材
４１  固定部
４１ａ  操作ノブ
４１ｂ  ロッド
４１ｃ  固定用凸部
【図１】
2007236892.tif 000003
【図２】
2007236892.tif 000004
【図３】
2007236892.tif 000005
【図４】
2007236892.tif 000006
【図５】
2007236892.tif 000007
【図６】
2007236892.tif 000008
【図７】
2007236892.tif 000009
【図８】
2007236892.tif 000010
【図９】
2007236892.tif 000011
【図１０】
2007236892.tif 000012
【図１１】
2007236892.tif 000013
【図１２】
2007236892.tif 000014
【図１３】
2007236892.tif 000015